【事件の表示】
　特許第３０８２９４６号「記録装置」の請求項１乃至７に係る特許に対する特許異議の申立てについて、次のとおり決定する。
【結　論】
　訂正を認める。
　特許第３０８２９４６号の請求項１乃至７に係る特許を維持する。
【理　由】
１．手続の経緯
　本件特許第３０８２９４６号の請求項１乃至７に係る発明についての出願は、平成３年１月１１日に特許出願され、平成１２年６月３０日にその特許権の設定の登録がなされ、松本一也より特許異議の申し立てがなされ、取消理由通知がなされ、その指定期間内である平成１３年８月２０日に訂正請求（後日取下げ）がなされた後、再度の取消理由通知がなされ、その指定期間内である平成１３年１１月２２日に訂正請求がなされたものである。
　　
２．訂正の適否についての判断
（１）訂正の内容
ア．訂正事項ａ
　特許請求の範囲の記載について、
「【請求項１】記録素子の配置位置の基準位置に対する誤差情報を各々保持し所定の間隔で配置された複数の記録ヘッドを用いて記録を行い、前記基準位置に対する誤差情報に基づいて前記複数の記録ヘッド各々の印字スタートタイミングを補正する補正手段を有する記録装置において、
前記補正手段は前記複数の記録ヘッドの各々に対し、
第１クロックをカウントする第１カウンタと、
前記第１クロックの周期で前記第１クロックよりも短い周期の第２クロックをカウントする第２カウンタと、
前記誤差情報のうち前記第１クロックに対応した第１誤差情報と第１スタートタイミング設定値とに基づく値を格納する第１レジスタと、
前記誤差情報のうち前記第２クロックに対応した第２誤差情報と第２スタートタイミング設定値に基づく値を格納する第２レジスタと、
を有し、
前記第１，第２カウンタから出力される第１，第２カウント値と前記第１，第２レジスタから出力される前記第１，第２レジスタ値が夫々一致したタイミングで、前記複数の記録ヘッド各々の印字スタートタイミングを補正することを特徴とする記録装置。
【請求項２】前記第１誤差情報は前記記録素子の配列間隔の単位であり、前記第２誤差情報は前記第１誤差情報の整数分の１の単位であることを特徴とする請求項１記載の記録装置。
【請求項３】前記基準位置に対する第１，第２誤差情報は、前記基準位置に対し符号付き情報であることを特徴とする請求項２記載の記録装置。
【請求項４】前記第１，第２レジスタには、前記符号付きの第１，第２誤差情報を前記第１、第２スタートタイミング設定値に加算した値が格納されることを特徴とする請求項３記載の記録装置。
【請求項５】前記記録素子は、インクを吐出する吐出口を有することを特徴とする請求項１記載の記録装置。
【請求項６】前記記録素子は、吐出口に対して設けられ、インクに熱による状態変化を生起させ、該状態変化に基づいてインクを前記吐出口から吐出させて飛翔的液滴を形成する熱エネルギー発生手段を有することを特徴とする請求項５記載の記録装置。
【請求項７】前記複数の記録ヘッドは各々異なる色のインクを吐出することを特徴とする請求項５記載の記録装置。」とあるのを、      
「【請求項１】記録素子の配置位置の基準位置に対する誤差情報を各々保持し所定の間隔で配置された複数の記録ヘッドを用いて記録を行い、前記基準位置に対する誤差情報に基づいて前記複数の記録ヘッド各々の印字スタートタイミングを補正する補正手段を有する記録装置において、
前記補正手段は前記複数の記録ヘッドの各々に対し、
第１クロックをカウントする第１カウンタと、
前記
前記誤差情報のうち前記第１クロックに対応した第１誤差情報と第１スタートタイミング設定値とに基づく
記録期間のスタートを指示する値
前記誤差情報のうち前記第２クロックに対応した第２誤差情報と第２スタートタイミング設定値に基づく
記録期間のスタートを指示する値
を有し、
前記第１，第２カウンタから出力される第１，第２カウント値と前記第１，第２レジスタから出力される前記第１，第２レジスタ値が夫々一致したタイミングで、前記複数の記録ヘッド各々の印字スタートタイミングを補正することを特徴とする記録装置。
【請求項２】
前記記録ヘッドには前記記録素子が所定間隔で配列されており
該
【請求項３】前記基準位置に対する第１，第２誤差情報は、前記基準位置に対し符号付き情報であることを特徴とする請求項２記載の記録装置。
【請求項４】前記第１，第２レジスタには、前記符号付きの第１，第２誤差情報を前記第１、第２スタートタイミング設定値に加算した値が格納されることを特徴とする請求項３記載の記録装置。
【請求項５】前記記録素子は、インクを吐出する吐出口を有することを特徴とする請求項１記載の記録装置。
【請求項６】前記記録素子は、吐出口に対して設けられ、インクに熱による状態変化を生起させ、該状態変化に基づいてインクを前記吐出口から吐出させて飛翔的液滴を形成する熱エネルギー発生手段を有することを特徴とする請求項５記載の記録装置。
【請求項７】前記複数の記録ヘッドは各々異なる色のインクを吐出することを特徴とする請求項５記載の記録装置。」
と訂正する（訂正個所にアンダーラインを付した。以下、同じ。）。
イ．訂正事項ｂ
　発明の詳細な説明における「前記第１クロックの周期で前記第１クロックよりも短い周期の第２クロックをカウントする第２カウンタと、前記誤差情報のうち前記第１クロックに対応した第１誤差情報と第１スタートタイミング設定値とに基づく値を格納する第１レジスタと、前記誤差情報のうち前記第２クロックに対応した第２誤差情報と第２スタートタイミング設定値に基づく値を格納する第２レジスタと、」（段落【０００６】、本件特許公報第２頁第４欄第７〜１４行）という記載を、
「
前記
記録期間のスタートを指示する値
記録期間のスタートを指示する値
と訂正する。
ウ．訂正事項ｃ
　発明の詳細な説明における
「第１，第２誤差情報と第１，第２スタートタイミング設定値とに基づく値と、」（段落【０００７】、本件特許公報第２頁第４欄第２４〜２５行及び段落【００５１】、本件特許公報第６頁第１１欄第４７〜４８行にそれぞれ記載。）
という記載を、
「第１，第２誤差情報と第１，第２スタートタイミング設定値とに基づく
記録期間のスタートを指示する値
と訂正する。
エ．訂正事項ｄ
　発明の詳細な説明における「インク吸収体７０７」（段落【００１０】、本件特許公報第２頁第４欄第４１〜４２行）という記載を、「インク吸収体
７０２
　　　
（２）訂正の目的の適否、新規事項の有無及び拡張・変更の存否
　上記訂正事項ａに関連する記載として、願書に添付した明細書（以下、特許明細書という。）の発明の詳細な説明には、「カートリッジ８０９の吐出口６０２Ａは、例えば１２８個のノズルより出来ており、６３．５μｍピッチで図１の鉛直方向に配列されている。」（段落【００１７】、本件特許公報第３頁第５欄第３９行〜第６欄第１行）、「レジスト量設定カウンタは走査距離６３．５μｍ単位でカウントアップされるカウンタ１と、この１／１０、つまり６．３５μｍ単位でカウントアップされるカウンタ２で構成され」（段落【００２５】、本件特許公報第４頁第７欄第１４〜１７行）及び「Ｂ，Ｃ，Ｍ，Ｂｋ夫々の記録許可信号・・・に基づいて、・・・データ（図５（ｃ））が読み出され、ヘッドドライバー７に供給される。また、上記記録許可信号（ａ）とともに、上記読み出されたデータ（ｃ）に同期したクロック（図１５（ｂ））がヘッドドライバー７に供給される。このクロックに基づいてヘッドドライバー７は供給されたデータを取込んで各ヘッド８０９Ｃ〜Ｂｋを駆動する。・・・カウンタ２１は図９に示すＶＥをカウントし、カウンタ２２はＶＥ中のクロックＣＫをカウントする。レジスタ群３１〜３８は各色ヘッドの記録許可信号のスタート時点を決定しており、例えばレジスタ３１はブラックヘッド用にＶＥ信号のカウント数を指示し、レジスタ３２はクロックＣＫ信号のカウント数を指示する。レジスタ３１及び３２で指定した値とカウンタ２１及び２２の出力・・・が一致すると、比較器５１の出力がＨｉｇｈとなる。従って、ＳＲフリップフロップＳＲ６１のＳ入力がＨｉｇｈとなり、Ｑ出力はクロックＣＫの立下りでＨｉｇｈへと変化する。・・・記録許可信号が立上る。」（段落【００３２】〜【００３５】、本件特許公報第４頁第８欄第３２行〜第５頁第９欄第１２行）と記載されている。
　そうすると、上記訂正事項ａは、特許明細書に記載された事項の範囲内において、第２クロックの周期が第１クロックの周期より短いこと（請求項１）及び記録素子の配列間隔（請求項２）とは、記録ヘッドにおけるものであることを明瞭にすると共に、第１，第２レジスタに格納する値が記録期間のスタートを指示する値であると限定した（請求項１）ものである。
　また、訂正事項ｂ，ｃは、上記訂正事項ａに伴い、特許請求の範囲の記載との整合のために発明の詳細な説明の記載を訂正したものである。
　さらに、訂正事項ｄは、発明の詳細な説明における符号の誤記を訂正したものである。
　したがって、上記訂正事項ａ〜ｄを含む上記訂正は、特許請求の範囲の減縮、明瞭でない記載の釈明及び誤記の訂正に該当するものであり、新規事項の追加に該当しない。
  そして、上記訂正は、実質上特許請求の範囲を拡張し、または変更するものでない。
　　　　
（３）むすび
　以上のとおりであるから、上記訂正は、平成６年改正法附則第６条第１項の規定によりなお従前の例とされる、平成１１年改正前の特許法１２０条の４第３項で準用する第１２６条第１項ただし書き、第２項及び第３項の規定に適合するので、当該訂正を認める。
３．特許異議申し立てについての判断
（１）申立の理由の概要
　申立人松本一也は、証拠として、甲第１号証（特開平２−２７９３４４号公報）及び甲第２号証（特開平２−１６０５５号公報）を提出し、また、参考資料として、「ＯＫＴＯＢＥＲ　１９８８　ＨＥＷＬＥＴＴ−ＰＡＣＫＡＲＤ　ＪＯＵＲＮＡＬ」という記載のある文書（以下、参考資料という。）を提出し、本件請求項１乃至７に係る発明は、甲第１，２号証に各記載された発明に基づいて当業者が容易に発明をすることができたものであると主張している。
　　　　　
（２）本件発明
　特許第３０８２９４６号の請求項１乃至７に係る発明（以下、本件発明１乃至７という。）は、上記訂正明細書の特許請求の範囲の請求項１乃至７に記載されたとおりのものと認める（訂正事項ａを参照。）。
　　　　
（３）引用刊行物及び参考資料に記載された発明
　当審で通知した取消理由に引用した刊行物１乃至２には、本件発明１乃至７に関連する事項として、以下のような事項が記載されている。
　　　　
　ア．引用刊行物１（＝甲第１号証）    
ａ．「本発明はインクジェット印刷ヘッド等の印刷アッセンブリーに関し、さらに具体的には、かかるアッセンブリーをそれらを用いる印刷装置に特性化する技術に関する。」（第１頁右下欄第１４〜１７行）
ｂ．「インク室を有するハウジングと該インク室と流体を連通する複数のオリフィスと該オリフィスを通して前記インク室からインクを噴出させる手段とを有するインクジェット印刷ヘッドにおいて、前記ハウジングには前記印刷ヘッドの動作特性に関するデータを記憶する記憶手段が備えられている」（第１頁左下欄第５〜１２行）
ｃ．「前記記憶手段が前記印刷ヘッドのオリフイスとハウジングとの相対的なアラインメントに関するデータを記憶している」（第１頁右下欄第３〜５行目）
ｄ．「補償回路５２は、種々のオリフィスの空間的ミスアラインメントによって生じる印刷ミスを最小限にするため、オリフィスに供給される噴射用信号の相対的なタイミングを変化させる。」（第４頁右下欄第１４〜１８行）
ｅ．「説明された原理は、ヒューレットパッカードのＤｅｓｋ　Ｊｅｔ印刷ヘッドに用いられる２列構成のような、他の構成オリフィスを設けたさらに複雑な印刷ヘッドにも同様に適用しうる。」（第６頁左上欄第５〜９行）
ｆ．「前記記憶手段が前記インク室内のインク色に関するデータを記憶している」（第１頁左下欄第１４〜１５行）
　　　　　
　イ．引用刊行物２（＝甲第２号証）
ａ．「本発明はオンディマンド型インクジェット噴射ノズルを複数個有したヘッドにより記録を行うプリンタ装置の印写ドット位置の補正回路に関する。」（第２頁左上欄第１０〜１３行）
ｂ．「そのヘッド上のノズル配置がヘッド走査方向に各離隔距離をもって配置された複数のノズル、または複数のノズル列からなるヘッドを有し、・・・の位置検出手段の出力信号を計数して基準ノズルあるいは基準ノズル列の座標値を得る座標カウンタで、上記ｎ値のｎ進カウンタで構成される小数部と、ｎ進カウンタの桁あふれ（キャリまたはボロ−）を計数する整数部とから構成される座標カウンタ」（第１頁左下欄第７行〜同頁右下欄第１行）
ｃ．「各ノズルあるいは各ノズル列の基準ノズルある（「あるいは」の誤記と認める。）基準ノズル列からの離隔距離を記憶する補正レジスタで、・・・その構成は前記座標カウンタと同じく整数部と小数部からなり、」（第１頁右下欄第２〜６行）
ｄ．「前記座標カウンタの整数部と、同じく補正レジスタの整数部を加算し、その出力はメモリの読み出しアドレス信号の少くとも一部を構成する加算器」（第１頁右下欄第８〜１１行）
ｅ．「前記座標カウンタの小数部出力を入力信号として、前記ｎ値のｎ通りのタイミング信号を発生するタイミング発生回路と、基準ノズルあるいは基準ノズル列以外の各ノズルあるいはノズル列の印写タイミングを与える回路で、前記タイミング発生回路のｎ通りの出力信号を選択枝とし、前記補正レジスタの選択手段の小数部出力を選択指示入力とするタイミング選択回路」（第１頁右下欄第１５行〜第２頁左上欄第３行）
ｆ．「ヘッド走査方向に複数のノズルまたはノズル列が任意の離隔距離をもって配置されたヘッドをもつプリンタ装置の印写ドット位置ずれの補正を、ドットピッチ単位とそのｎ分の１（ｎは２以上の整数）単位の補正にわけて行う」（第２頁左上欄第１５〜末行）
ｇ．「基準ノズルあるいは基準ノズル列と他のノズルあるいはノズル列との離隔距離Ｌは
　　　Ｌ＝１　×Ｄ＋ｍ×ｄ　　（式１）
但し、ｄは位置検出手段の分解能、Ｄはドットピッチで、Ｄ＝ｎ×ｄ　また１，ｍは０を含む正整数、ｎは２以上の整数で、ｍ＜ｎ．と表わすことができる。・・・Ｄの係数はドットピッチ単位の補正項であり、具体的には基準ノズルあるいは基準ノズル列の画素データが存在するメモリのアドレス値をＤの係数分だけ加算した値を当該ノズルあるいはノズル列の画素データの読み出しアドレス値として読み出す。またｄの係数は位置検出手段の分解能単位での補正項であり、ドットピッチ未満の細かな補正量を示している。具体的には基準ノズルあるいは基準ノズル列の印写位置よりもｄの係数分だけ印写位置をずらす、時系列で言うならば遅延させる操作を意味する。以上述べた補正係数を記憶しているのが補正レジスタであり、整数部と小数部からなり、整数部がＤの係数、小数部がｄの係数に対応する。」（第２頁右下欄第１５行〜第３頁左上欄末行）
ｈ．「ヘッド上には用紙面に向かってイエロー用ノズル１・Ｙ、マゼンタ用ノズル１・Ｍ、シアン用ノズル１・Ｃがヘッド走査方向にノズル１・ＭからＬ１，Ｌ２の離隔距離をもって配置されている」（第３頁右上欄第９〜１３行）
  
　また、上記参考資料には、ＨＰ（Ｈｅｗｌｅｔｔ−Ｐａｃｋａｒｄ）　ＤｅｓｋＪｅｔ　ｐｒｉｎｔｅｒは、記録素子が、吐出口に対して設けられ、インクに熱による状態変化を生起させ、該状態変化に基づいてインクを前記吐出口から吐出させ飛翔的液滴を形成する熱エネルギー発生手段を有する記録装置であることが記載されている。
　
（４）対比・判断 
　　　　
　ア．本件発明１について、
　本件発明１と上記引用刊行物１乃至２に記載された発明とを対比する。
　上記引用刊行物１には、オリフィス板のミスアラインメントデータ（記録素子の配置位置の基準位置に対する誤差情報）を各々保持し所定の間隔で配置された複数の印刷ヘッド（記録ヘッド）を用いて記録を行い、前記オリフィス板のミスアラインメントデータ（基準位置に対する誤差情報）に基づいて前記複数の印刷ヘッド（記録ヘッド）各々の印字を補償（補正）する補償回路（補正手段）を有する印刷装置（記録装置）が記載されている。
　また、上記引用刊行物２には、ノズル配置が各離隔距離を以て配置された複数のヘッドと、ノズル（記録素子）の配置位置の基準ノズルに対する離隔距離を記憶する補正レジスタ（８・ａ〜８・ｄ）と、前記離隔距離に基づいて画素データを読み出す際のメモリ２のアドレス値を生成する機構と、座標カウンタ１１と、前記離隔距離に基づいて補正した前記複数のヘッド各々の印写タイミングを発生するタイミング発生回路１２とを有するプリンタ装置（記録装置）が記載されている。
　してみると、上記引用刊行物１に記載された発明は、「記録素子の配置位置の基準位置に対する誤差情報を各々保持し所定の間隔で配置された複数の記録ヘッドを用いて記録を行い前記基準位置に対する誤差情報に基づいて前記複数の記録ヘッド各々の印字を補正する補正手段を有する記録装置」である点で本件発明１と一致し、また、上記引用刊行物２に記載された発明は、「記録素子の配置位置の基準位置に対する誤差情報を記録装置の内部に各々保持し、所定の間隔で配置された複数の記録ヘッドを用いて記録を行い、前記基準位置に対する誤差情報に基づいて前記複数の記録ヘッド各々の印字タイミングを補正する補正手段を有する記録装置において、前記補正手段は前記複数の記録ヘッドの各々に対し、カウンタを有し、前記複数の記録ヘッド各々の印字タイミングを補正する記録装置」である点で本件発明１と一致しているが、上記刊行物１乃至２のいずれにも、本件発明１の構成要件である、「誤差情報のうち前記第１クロックに対応した第１誤差情報と第１スタートタイミング設定値とに基づく記録期間のスタートを指示する値を格納する第１レジスタと、前記誤差情報のうち前記第２クロックに対応した第２誤差情報と第２スタートタイミング設定値に基づく記録期間のスタートを指示する値を格納する第２レジスタと、を有」すると共に「カウンタから出力されるカウント値と前記レジスタから出力される前記レジスタ値が夫々一致したタイミングで、前記複数の記録ヘッド各々の印字スタートタイミングを補正する」点について、何ら記載されておらず又示唆もされていない。
　敷衍すると、上記引用刊行物１には、オリフィス板のミスアラインメントデータ（記録素子の配置位置の基準位置に対する誤差情報）に基づいて噴射用信号（記録信号）のタイミングを変化させることが記載されているに止まり、クロックをカウントするカウンタと記録期間のスタートを指示する値を格納するレジスタとから、記録ヘッドの各々の印字スタートタイミングを補正する点について、何ら記載されておらず、また、上記引用刊行物２に記載された発明は、座標カウンタ１１と、離隔距離（誤差情報）に基づいて画素データを読み出す際のメモリ２のアドレス値を生成する機構と、前記離隔距離（誤差情報）に基づいて補正した前記複数のヘッド各々の印写タイミングを発生するタイミング発生回路１２とを使用して、複数の記録ヘッドの印字タイミングを補正するものであって、クロックをカウントするカウンタと記録期間のスタートを指示する値を格納するレジスタとから、記録ヘッドの各々の印字スタートタイミングを補正する本件発明１とは、補正方法が異なるものである。
　また、記録素子の配置位置の基準位置に対する誤差情報を記録装置の内部に各々保持し、カウンタと記録期間のスタートを指示する値を格納するレジスタとから、記録ヘッドの各々の印字スタートタイミングを補正する記録装置が、当該技術分野において、周知であるとの証拠もない。
　そして、本件発明１は、上記点を備えることにより、「回路規模を増大することなく複数の記録ヘッドに対する印字スタートタイミングを高精度に補正することが可能となる。さらには、第１，第２スタートタイミング設定値を記録ヘッド毎に変更することで、各補正手段の構成を変更することなく記録ヘッドに応じた印字スタートタイミング補正を行うことができる。」という明細書に記載された作用効果を奏するものである。
　したがって、本件発明１は、上記刊行物１乃至２に記載されたものから当業者が容易に発明をすることができたものとすることができない。
                  
　イ．本件発明２乃至７について、
　本件発明２乃至７は、いずれも、本件発明１を引用し、本件発明１の構成要件を、すべて構成要件として具備するものであるから、上記本件発明１についての理由と同様な理由で、上記刊行物１乃至２に記載された発明に基づいて当業者が容易に発明をすることができたものといえない。
（５）むすび
　以上のとおりであるから、特許異議申し立ての理由及び証拠方法によっては、本件請求項１乃至７に係る発明の特許を取り消すことができない。
　また、他に本件請求項１乃至７に係る発明の特許を取り消すべき理由を発見しない。
　したがって、本件請求項１乃至７に係る発明の特許は拒絶の査定をしなければならない特許出願に対してされたものと認めない。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、上記のとおり決定する。
【異議決定日】
平成１３年１２月１２日（２００１．１２．１２）
【訂正の要旨】
　訂正の要旨
ア．訂正事項ａ
　特許請求の範囲を、
「【請求項１】記録素子の配置位置の基準位置に対する誤差情報を各々保持し所定の間隔で配置された複数の記録ヘッドを用いて記録を行い、前記基準位置に対する誤差情報に基づいて前記複数の記録ヘッド各々の印字スタートタイミングを補正する補正手段を有する記録装置において、
前記補正手段は前記複数の記録ヘッドの各々に対し、
第１クロックをカウントする第１カウンタと、
前記
前記誤差情報のうち前記第１クロックに対応した第１誤差情報と第１スタートタイミング設定値とに基づく
記録期間のスタートを指示する値
前記誤差情報のうち前記第２クロックに対応した第２誤差情報と第２スタートタイミング設定値に基づく
記録期間のスタートを指示する値
を有し、
前記第１，第２カウンタから出力される第１，第２カウント値と前記第１，第２レジスタから出力される前記第１，第２レジスタ値が夫々一致したタイミングで、前記複数の記録ヘッド各々の印字スタートタイミングを補正することを特徴とする記録装置。
　【請求項２】
前記記録ヘッドには前記記録素子が所定間隔で配列されており
　【請求項３】前記基準位置に対する第１，第２誤差情報は、前記基準位置に対し符号付き情報であることを特徴とする請求項２記載の記録装置。
　【請求項４】前記第１，第２レジスタには、前記符号付きの第１，第２誤差情報を前記第１、第２スタートタイミング設定値に加算した値が格納されることを特徴とする請求項３記載の記録装置。
　【請求項５】前記記録素子は、インクを吐出する吐出口を有することを特徴とする請求項１記載の記録装置。
　【請求項６】前記記録素子は、吐出口に対して設けられ、インクに熱による状態変化を生起させ、該状態変化に基づいてインクを前記吐出口から吐出させて飛翔的液滴を形成する熱エネルギー発生手段を有することを特徴とする請求項５記載の記録装置。
　【請求項７】前記複数の記録ヘッドは各々異なる色のインクを吐出することを特徴とする請求項５記載の記録装置。」
と訂正する（訂正個所にアンダーラインを付した。以下、同じ。）。
イ．訂正事項ｂ
　発明の詳細な説明における「前記第１クロックの周期で前記第１クロックよりも短い周期の第２クロックをカウントする第２カウンタと、前記誤差情報のうち前記第１クロックに対応した第１誤差情報と第１スタートタイミング設定値とに基づく値を格納する第１レジスタと、前記誤差情報のうち前記第２クロックに対応した第２誤差情報と第２スタートタイミング設定値に基づく値を格納する第２レジスタと、」（段落【０００６】、本件特許公報第２頁第４欄第７〜１４行）という記載を、
「
前記
記録期間のスタートを指示する値
記録期間のスタートを指示する値
と訂正する。
ウ．訂正事項ｃ
　発明の詳細な説明における
「第１，第２誤差情報と第１，第２スタートタイミング設定値とに基づく値と、」（段落【０００７】、本件特許公報第２頁第４欄第２４〜２５行及び段落【００５１】、本件特許公報第６頁第４８〜４９行にそれぞれ記載。）
という記載を、
「第１，第２誤差情報と第１，第２スタートタイミング設定値とに基づく
記録期間のスタートを指示する値
と訂正する。
エ．訂正事項ｄ
　発明の詳細な説明における「インク吸収体７０７」（段落【００１０】、本件特許公報第２頁第４欄第４１〜４２行）という記載を、「インク吸収体
７０２
（５４）【発明の名称】
記録装置
（５７）【特許請求の範囲】
　【請求項１】　記録素子の配置位置の基準位置に対する誤差情報を各々保持し所定の間隔で配置された複数の記録ヘッドを用いて記録を行い、前記基準位置に対する誤差情報に基づいて前記複数の記録ヘッド各々の印字スタートタイミングを補正する補正手段を有する記録装置において、
前記補正手段は前記複数の記録ヘッドの各々に対し、
第１クロックをカウントする第１カウンタと、
前記
前記誤差情報のうち前記第１クロックに対応した第１誤差情報と第１スタートタイミング設定値とに基づく
記録期間のスタートを指示する値
前記誤差情報のうち前記第２クロックに対応した第２誤差情報と第２スタートタイミング設定値に基づく
記録期間のスタートを指示する値
を有し、
前記第１，第２カウンタから出力される第１，第２カウント値と前記第１，第２レジスタから出力される前記第１，第２レジスタ値が夫々一致したタイミングで、前記複数の記録ヘッド各々の印字スタートタイミングを補正することを特徴とする記録装置。
　【請求項２】　
前記記録ヘッドには前記記録素子が所定間隔で配列されており、
該
　【請求項３】　前記基準位置に対する第１，第２誤差情報は、前記基準位置に対し符号付き情報であることを特徴とする請求項２記載の記録装置。
　【請求項４】　前記第１，第２レジスタには、前記符号付きの第１，第２誤差情報を前記第１、第２スタートタイミング設定値に加算した値が格納されることを特徴とする請求項３記載の記録装置。
　【請求項５】　前記記録素子は、インクを吐出する吐出口を有することを特徴とする請求項１記載の記録装置。
　【請求項６】　前記記録素子は、吐出口に対して設けられ、インクに熱による状態変化を生起させ、該状態変化に基づいてインクを前記吐出口から吐出させて飛翔的液滴を形成する熱エネルギー発生手段を有することを特徴とする請求項５記載の記録装置。
　【請求項７】　前記複数の記録ヘッドは各々異なる色のインクを吐出することを特徴とする請求項５記載の記録装置。
【発明の詳細な説明】
　【０００１】
　【産業上の利用分野】本発明は、カラーインクジェット記録装置等、複数の記録ヘッドを有する記録装置に係り、特に複数の記録ヘッドの印字スタートタイミングの補正を行う記録装置に関する。
　【０００２】
　【従来の技術】従来、モノクロのインクジェット記録装置の印字スタート位置（以降レジスト位置と称す）の調整は、ヘッドキャリッジを制御するポジションセンサの取付け位置調整により行っていた。また、カラーインクジェット記録装置における各色ヘッド間の印字タイミング調整は、工場調整時に不揮発メモリあるいはバックアップされたＲＡＭ、またはスイッチ等によって印字タイミングを決定するカウント値を入力するなどして対処していた（例えば、特開昭５６−１４８５６９号公報参照）。
　【０００３】
　【発明が解決しようとする課題】しかしながら、上記第一の従来例は、複数ヘッドを有するカラー記録装置では対応不可能である。また第二の例でも、ヘッドの交換の度にヘッドのノズルの位置精度誤差をサービスマンが補正する必要があり、保守性に難があった。特に、交換可能なリユーザブルヘッドを使用する普及型の記録装置においては、ヘッド交換の度にユーザ自身が調整しなければ高品位の画像を再生することができないが、ユーザによる調整は困難であった。
　【０００４】
　そこで、本発明は上述の問題点を解決するためになされたもので、記録ヘッドの交換時に、複数の記録ヘッド間の記録素子（ノズル等）の位置ずれ調整を自動化することのできる記録装置を提供することを目的とする。
　【０００５】
　【０００６】
　【課題を解決するための手段】そこで、本発明は上述の問題点を解決するためになされたもので、記録素子の配置位置の基準位置に対する誤差情報を各々保持し所定の間隔で配置された複数の記録ヘッドを用いて記録を行い、前記基準位置に対する誤差情報に基づいて前記複数の記録ヘッド各々の印字スタートタイミングを補正する補正手段を有する記録装置において、前記補正手段は前記複数の記録ヘッドの各々に対し、第１クロックをカウントする第１カウンタと、
前記
記録期間のスタートを指示する値
記録期間のスタートを指示する値
　【０００７】
　本発明によれば、個々の記録ヘッド内にヘッド固有のレジスト位置補正を示す第１，第２誤差情報を持たせ、この情報に基づいて自動的にレジストタイミングを補正するので、サービスマンによる作業も不要となり、特に交換可能な記録ヘッドを用いる記録装置では効果的である。また、第１，第２誤差情報と第１，第２スタートタイミング設定値とに基づく
記録期間のスタートを指示する
　【０００８】
　【実施例】以下、本発明の記録装置をインクジェット記録装置に適用した場合の実施例について、図面を参照して詳細に説明する。
　【０００９】
　図１は本発明の実施例のインクジェット記録装置に使用されるインクタンク記録用チップ一体型カートリッジ８０９の斜視図であり、図２はこのカートリッジ８０９を搭載したインクジェット記録装置の斜視図を示している。
　【００１０】
　この装置においては、インクタンク７００が記録ヘッド６００に一体的に構成されてカートリッジタイプとなっており、カートリッジ８０９内のインク吸収体
７０２
　【００１１】
　ここで、記録ヘッド６００は吐出部６０２および供給タンク部６０４等から成る。吐出部６０２は記録媒体との対向面に形成した吐出口６０２Ａと、その内方に延在する液路、例えば、吐出エネルギーとして熱エネルギーを利用した例を挙げれば、各液路に配設した電気熱変換体等の吐出エネルギー発生体としての記録ヒーターと、各液路に連通した共通液室とを有している。
　【００１２】
　又、供給タンク部６０４はインクタンク７００側からインクの供給を受け、吐出部６０２内の共通液室にインクを導くサブタンクとして機能する。インクタンク７００内に配設され、インクを含浸させたインク吸収体７０２は、多孔質体または繊維等を用いて形成できる。なお、７０４はインクタンク７００の蓋部材である。
　【００１３】
　図２において８０９Ｙ、８０９Ｍ、８０９Ｃ、８０９Ｂｋ（総称するときは「カートリッジ８０９」といい、各カートリッジにおいて対応する部分は同一の数字に「Ｙ」、「Ｍ」、「Ｃ」、「Ｂｋ」を付した参照符号を用いる）は図１に示したカートリッジである。このカートリッジ８０９は、キャリッジ５１５上に固定されており、これらは、シャフト５２１に沿って長手方向に往復動可能となっている。また、キャリッジ５１５に対する位置決めは、例えば記録ヘッド６００に設けた穴６０５と、キャリッジ５１５側に設けたダボ等により行うことができる。さらに、電気的接続は吐出部６０２に対する配線基板（図示せず）に設けた接続パッドに、キャリッジ５１５上のコネクタを結合させるか、第３図に示すようなカードエッジコネクタ用の接点を形成する方法が考えられる。
　【００１４】
　吐出口６０２Ａより吐出されたインクは、記録ヘッド６００と微小間隔をおいてプラテンローラ５１９に記録面を規制された記録媒体５１８に到達し、記録媒体５１８上に画像を形成する。
　【００１５】
　記録ヘッド６００には、ケーブル５１６およびこれに結合する端子を介して適宜、図示しないデータ供給源より画像データに応じた吐出信号が供給される。カートリッジ８０９は、用いるインク色等に応じて、１ないし複数個（図では４個）を装着することができる。
　【００１６】
　また、図２において、５１７はキャリッジ５１５をシャフト５２１に沿って走査させるためのキャリッジモータ、５２２はモータ５１７の駆動力をキャリッジ５１５に伝達するワイヤである。また、５２０はプラテンローラ５１９に結合して記録媒体５１８を搬送させるためのフィードモータである。
　【００１７】
　カートリッジ８０９の吐出口６０２Ａは、例えば１２８個のノズルより出来ており、６３．５μｍピッチで図１の鉛直方向に配列されている。
　【００１８】
　図３は本発明の実施例のインクジット記録ヘッドの要部外観を模式的に示す。同図において、５０１はプリント基板、５０２はアルミ放熱板、５０３は発熱素子とダイオードマトリクスからなるヒータボード、５０４は濃度ムラ情報をあらかじめ記録するＥＥＰＲＯＭ（電圧不揮発性メモリ）、および５０５は本体とのジョイント部となる接点電極である。なお、ライン状の吐出口群は図示されていない。
　【００１９】
　図４は図３のプリント基板５０１上の要部回路構成を示す。ここで、一点鎖線の枠内がヒータボード５０３内の回路構成であり、このヒータボード５０３は発熱素子５０７と電流の回り込み防止用のダイオード５０６の直列接続回路のＮ×Ｍのマトリクス構造で構成されている。即ち、これらの発熱素子５０７は、図５に示すように、時分割で駆動され、その駆動エネルギーの供給制御はセグメント（ｓｅｇ）側をパルス幅（Ｔ）制御することにより、実現される。
　【００２０】
　図６は本実施例の記録ヘッドと記録紙の関係を示す図である。４つのヘッドは図に示してあるスタートポジションより右方向に走査を開始する。印字開始位置（紙左端よりＡの位置）に最初にブラック（Ｂｋ）ヘッドが達するとブラックの記録を開始し、続いてシアン（Ｃ）、マゼンタ（Ｍ）、イエロー（Ｙ）と同様に記録を開始する。このようにして、８ｍｍ幅の１走査目の記録が終了すると、記録紙が８ｍｍだけ紙送りされ、同じ要領で２走査目の記録が繰り返される。
　【００２１】
　図７は図６の記録を行う上での、各タイミング信号の関係を示している。最初にモータが起動され、時間ｔｏ後に所定速度に達すると１行分の記録期間を示すＢＶＥ（ｂｌｏｃｋ　ｅｎａｂｌｅ　ｓｉｇｎａｌ）信号が発生する。この信号を基準に、各ヘッドの記録許可信号がＢｋ，Ｃ，Ｍ，Ｙの順にそれぞれｔ１，ｔ２，ｔ３，ｔ４後に発生する。すなわち、本実施例では各ヘッド間間隔は３０ｍｍであるため、ブラックの記録許可信号発生後、シアンの記録許可信号が発生するまでの時間（ｔ２−ｔ１）は計算上は、モータ速度をｖｏ〔ｍ／ｓｅｃ〕とすると
　【００２２】
　【外１】
となる。しかし、後に述べる様に、ヘッドのノズル位置が製造上設計中心に対し左右にばらつくため、上記（１）式の結果は各ヘッド個有のデータによって補正している。
　【００２３】
　図８はヘッドのノズル列の位置精度誤差を示しており、実際の設計中心（ａ）より現実には製造、組立上の誤差により、左右にばらつくことになる。従って、本実施例ではノズルがスタートポジション（ＳＰ）側にずれている場合（ｂ）には正の補正量を、スタートポジションとは反対側にずれている場合（ｃ）には負の補正量を図３に示す不揮発性メモリ５０４内にデータを書込む。ノズルがスタートポジション側にずれている場合（ｂ）には、当初の設計値どおりのヘッドが記録スタート位置に達した時点（図７のｔ１）では、未だノズルが正規位置まで達しておらず、ずれ分に相当する時間遅れ後に正規位置に到達することになる。従って、例えばブラックヘッドの場合には、図７の実際にＢＶＥ信号から記録許可信号発生までに要する時間ｔ１′は、設計中心のヘッドの場合のこの時間をｔ１とすると
ｔ１′＝ｔ１＋Δｔ…（２）
となる。ここでΔｔはノズルの位置精度誤差相当分の所要時間である。
　【００２４】
　一方、ノズル列がスタートポジション反対側にずれている場合（ｃ）には上記（２）式は
ｔ１′＝ｔ１−Δｔ…（３）
となり、補正量は負の符号を取ることになる。
　【００２５】
　図９は本実施例のレジスト量補正の詳細タイミング図を示す。本実施例では、４００ＤＰＩ（ｄｏｔｓ　ｐｅｒ　ｉｎｃｈ）のヘッドを用いており、１ｄｏｔは６３．５μｍである。そこで、レジスト量設定カウンタは走査距離６３．５μｍ単位でカウントアップされるカウンタ１と、この１／１０、つまり６．３５μｍ単位でカウントアップされるカウンタ２で構成されており、６．３５μｍ単位でレジスト量を補正可能なように設計されている。図９のＶＥ（ｖｉｄｅｏ　ｅｎａｂｌｅ）信号は１２８ノズルを駆動するのに要する時間であり、この間にへッドキャリッジ５１５は１画素分、すなわち６３．５μｍ移動する。ＣＫは２５μｓ周期でＶＥに同期して発生し、１クロック周期の間にキャリッジは６．３５μｍ移動する。従って、例えばブラックヘッドの６３．５μｍカウンタセット値がｎで、６．３５μｍカウンタセット値がｍの場合にはＢｋ信号は図９の様に発生する。
　【００２６】
　図１０はヘッドのレジスト量補正データの作成フローを示す。同図（Ａ）は、誤差ｘが負の場合のフローを示し、ステップＳ１０でｘを６３．５で割った商ａと余りｂを求める。ステップＳ１１で余りｂが０ならば、これをＱの値とし（ステップＳ１２）、ステップＳ１３で、ａの２の補数をＰの値とする。余りｂが０でないならば、Ｑの値を正の値とするため、ステップＳ１４〜Ｓ１６の処理を行った後、ステップＳ１３でＰの値を求める。一方、同図（Ｂ）は誤差ｘが正の場合のフローを示し、ステップＳ１７でｘを６３．５で割った商ａと余りｂを求める。ステップＳ１８でａをＰの値とし、ステップＳ１９でｂを６．３５で割った商をＱの値とする。
　【００２７】
　本実施例では６３．５μｍ単位の補正量は正負の符号を取り得、一方６．３５μｍ単位の補正は正の数のみとし、本体側の演算処理を簡単にしている。すなわち、図８に示す精度誤差ｘと補正データＰ（６３．５μｍ単位）及びＱ（６．３５μｍ単位）の関係は、
ｘ＞０のときｘ〜６３．５Ｐ＋６．３５Ｑ…（４）
ｘ＜０のとき｜ｘ｜〜６３．５Ｐ−６．３５Ｑ…（５）
となる。但し、上記（５）式の場合、実際にＲＯＭに書込むデータＰは２の補数である。
　【００２８】
　ここで、上記精度誤差ｘはヘッド製造時に拡大鏡等によるノズル（吐出口）列の目視検査を行って測定している。こうして測定した精度誤差ｘから、上述のフローに従って補正データＰ，Ｑを求める。
　【００２９】
　図１１に本実施例で用いた不揮発性メモリ４０４の内部情報を示す。メモリ４０４は１２８バイトで構成されており、各バイトの下位６ｂｉｔは各ノズル間の吐出量差、あるいはよれに起因して発生する濃度むらを補正するデータである。その他のデータについては、図１２にその内容を示す。ＳＥＮＳはヘッドのヒータボード５０３に形成された温度センサの特性区分を示し、Ｔ１，Ｔ２はヘッド駆動パルスＰ１，Ｐ３のパルス幅を示す。ＩＤはヘッド固有の製造番号を示し、ＣＯＬＲはインクの色を示す。本実施例による６３．５μｍ単位，６．３５μｍ単位のレジスト補正量データもＰ，Ｑとして各４ｂｉｔで格納されている。
　【００３０】
　図１３には、本実施例で使用した不揮発性メモリ４０４のリードモード（Ａ）とライトモード（Ｂ）の各信号のタイミングを示す。
　【００３１】
　次に、本実施例の制御構成について図１４に示すブロック図を参照して説明する。この構成は、ヘッド間距離の補正を行うもので、メモリ制御回路２に送られてきた画像データ１は、色毎に、または所定の信号毎に分離されて、メモリ３〜６に格納される。メモリ３〜６に格納された画像データは、記録データとしてヘッドドライバー７を介して各色のヘッド８０９に供給される。ここで、メモリ制御回路２は、ＣＰＵ１２によって設定される値（詳細は後述する）によって、記録許可信号の出力タイミングを制御することができる。
　【００３２】
　このようにしてレジスト調整された記録許可信号と記録ヘッドに供給される記録データの関係について、図１５に示すタイミングチャートを参照して説明する。Ｂ，Ｃ，Ｍ，Ｂｋ夫々の記録許可信号（図１５では代表してその１つを示す）に基づいて、メモリ制御回路２内のアドレスカウンタ（不図示）がカウントを開始して、このアドレスが各メモリ３〜６に供給される。このアドレスに従って各メモリ３〜６からデータ（図５（ｃ））が読み出され、ヘッドドライバー７に供給される。また、上記記録許可信号（ａ）とともに、上記読み出されたデータ（ｃ）に同期したクロック（図１５（ｂ））がヘッドドライバー７に供給される。このクロックに基づいてヘッドドライバー７は供給されたデータを取込んで各ヘッド８０９Ｃ〜Ｂｋを駆動する。
　【００３３】
　以上のように、記録許可信号を制御することで、記録ヘッドの駆動タイミングを制御することが可能となる。
　【００３４】
　次に、ヘッド内に書き込まれたレジスト補正データＰ，Ｑの本体側の処理方法について説明する。
　【００３５】
　本実施例のレジスト信号発生回路を図１６に示す。この回路は図１４のメモリ制御回路２内に含まれる。カウンタ２１は図９に示すＶＥをカウントし、カウンタ２２はＶＥ中のクロックＣＫをカウントする。レジスタ群３１〜３８は各色ヘッドの記録許可信号のスタート時点を決定しており、例えばレジスタ３１はブラックヘッド用にＶＥ信号のカウント数を指示し、レジスタ３２はクロックＣＫ信号のカウント数を指示する。レジスタ３１及び３２で指定した値とカウンタ２１及び２２の出力（それぞれｍビット，ｎビット出力）が一致すると、比較器５１の出力がＨｉｇｈとなる。従って、ＳＲフリップフロップＳＲ６１のＳ入力がＨｉｇｈとなり、Ｑ出力はクロックＣＫの立下りでＨｉｇｈへと変化する。他のヘッドに対しても同様にして記録許可信号が立上る。
　【００３６】
　次に、記録許可信号をＯＦＦするタイミングについては、ブラックヘッドの場合につてはレジスタ３９及び４０により決定される。すなわちレジスタ３９にはＶＥのカウント値、レジスタ４０にはＣＫのカウンタ値を指示する。こうして、前図と同様にカウンタ２１及び２２のカウンタ出力がレジスタ３９，４０のセット値と一致すると記録許可信号はＯＦＦする。他のヘッドに用いても同様である。
　【００３７】
　図１７に、レジスト補正量データＰ，Ｑを図１６のレジスタ群にセットするフローを示す。これはＣＰＵ１２により実施される。
　【００３８】
　最初に、ステップＳ２０でＰの正負を１バイトデータの最上位ビットｂ７で判定する。０すなわち正の場合にはステップＳ２１で標準値データｌ０に対し、そのままＰの値を加算し、６３．５μｍ単位のカウンタ値Ｌｌｏｎｇを求める。一方、ステップＳ２０でｂ７が１の場合には負の数を表現しているので、ステップＳ２２で（ＯＦＦＨ−Ｐ＋１）の値を標準値ｌ０より減算する。
　【００３９】
　次に、６．３５μｍ単位のカウンタ値Ｌｓｈｏｒｔについては補正量Ｑは常にＱ≧０なので、標準値ｌ１に対しＱを加算することによりステップＳ２３でＬｓｈｏｒｔを求める。このようにして、各色に対してＬｌｏｎｇとＬｓｈｏｒｔを求め、対応するレジスタ群に書き込めばよい。なお、印字終了値も同様にして求められる。
　【００４０】
　上記実施例では、レジスト補正データを不揮発メモリに格納したが、図１８に示すような数本のパターンをレーザカットなどによって２値情報を生成し、レジスト補正データに割り当てることも可能である。
　【００４１】
　また、本発明は複数の記録ヘッドで異なる色を記録するものに限定されるものではなく、全て同一色の記録ヘッドであってもよい。この場合、各記録ヘッドを補完的に用いることで、高細精，高濃度，高速記録が可能となる。
　【００４２】
　さらに、本発明はインクジェット記録方式に限定されるものではなく、熱転写方式，感熱方式等の記録方式にも適用できるものである。
　【００４３】
　本発明は、特にインクジェット記録方式の中でも、熱エネルギーを利用して飛翔的液滴を形成し、記録を行うインクジェット方式の記録ヘッド、記録装置に於いて、優れた効果をもたらすものである。
　【００４４】
　その代表的な構成や原理については、例えば、米国特許第４７２３１２９号明細書、同第４７４０７９６号明細書に開示されている基本的な原理を用いて行うものが好ましい。この方式は所謂オンデマンド型、コンティニュアス型のいずれにも適用可能であるが、特に、オンデマンド型の場合には、液体（インク）が保持されているシートや液路に対応して配置されている電気熱変換体に、記録情報に対応していて核沸騰を越える急速な温度上昇を与える少なくとも一つの駆動信号を印加することによって、電気熱変換体に熱エネルギーを発生せしめ、記録ヘッドの熱作用面に膜沸騰させて、結果的にこの駆動信号に一対一対応し液体（インク）内の気泡を形成出来るので有効である。この気泡の成長、収縮により吐出用開口を介して液体（インク）を吐出させて、少なくとも一つの滴を形成する。この駆動信号をパルス形状とすると、即時適切に気泡の成長収縮が行われるので、特に応答性に優れた液体（インク）の吐出が達成でき、より好ましい。このパルス形状の駆動信号としては、米国特許第４４６３３５９号明細書、同第４３４５２６２号明細書に記載されているようなものが適している。尚、上記熱作用面の温度上昇率に関する発明の米国特許第４３１３１２４号明細書に記載されている条件を採用すると、更に優れた記録を行うことができる。
　【００４５】
　記録ヘッドの構成としては、上述の各明細書に開示されているような吐出口、液路、電気熱変換体の組み合わせ構成（直線状液流路又は直角液流路）の他に熱作用部が屈曲する領域に配置されている構成を開示する米国特許第４５５８３３３号明細書、米国特許第４４５９６００号明細書を用いた構成も本発明に含まれるものである。加えて、複数の電気熱変換体に対して、共通するスリットを電気熱変換体の吐出部とする構成を開示する特開昭５９年第１２３６７０号公報や熱エネルギーの圧力波を吸収する開孔を吐出部に対応せる構成を開示する特開昭５９年第１３８４６１号公報に基づいた構成としても本発明は有効である。
　【００４６】
　更に、記録装置が記録できる最大記録媒体の幅に対応した長さを有するフルラインタイプの記録ヘッドとしては、上述した明細書に開示されているような複数記録ヘッドの組み合わせによって、その長さを満たす構成や一体的に形成された一個の記録ヘッドとしての構成のいずれでも良いが、本発明は、上述した効果を一層有効に発揮することができる。
　【００４７】
　加えて、装置本体に装着されることで、装置本体との電気的な接続や装置本体からのインクの供給が可能になる交換自在のチップタイプの記録ヘッド、あるいは記録ヘッド自体に一体的に設けられたカートリッジタイプの記録ヘッドを用いた場合にも本発明は有効である。
　【００４８】
　又、本発明の記録装置の構成として設けられる、記録ヘッドに対しての回復手段、予備的な補助手段等を付加することは本発明の効果を一層安定できるので好ましいものである。これらを具体的に挙げれば、記録ヘッドに対しての、キャピング手段、クリーニング手段、加圧或は吸引手段、電気熱変換体或はこれとは別の加熱素子或はこれらの組み合わせによる予備加熱手段、記録とは別の吐出を行う予備吐出モードを行うことも安定した記録を行うために有効である。
　【００４９】
　更に、記録装置の記録モードとしては黒色等の主流色のみの記録モードだけではなく、記録ヘッドを一体的に構成するか複数個の組み合わせによってでもよいが、異なる色の複色カラー又は、混色によるフルカラーの少なくとも一つを備えた装置にも本発明は極めて有効である。
　【００５０】
　以上説明した本発明実施例においては、液体インクを用いて説明しているが、本発明では室温で固体状であるインクであっても、室温で軟化状態となるインクであっても用いることができる。上述のインクジェット装置ではインク自体を３０℃以上７０℃以下の範囲内で温度調整を行ってインクの粘性を安定吐出範囲にあるように温度制御するものが一般的であるから、使用記録信号付与時にインクが液状をなすものであれば良い。加えて、積極的に熱エネルギーによる昇温をインクの固形状態から液体状態への態変化のエネルギーとして使用せしめることで防止するか又は、インクの蒸発防止を目的として放置状態で固化するインクを用いるかして、いずれにしても熱エネルギーの記録信号に応じた付与によってインクが液化してインク液状として吐出するものや記録媒体に到達する時点ではすでに固化し始めるもの等のような、熱エネルギーによって初めて液化する性質のインク使用も本発明には適用可能である。このような場合インクは、特開昭５４−５６８４７号公報あるいは特開昭６０−７１２６０号公報に記載されるような、多孔質シート凹部又は貫通孔に液状又は固形物として保持された状態で、電気熱変換体に対して対向するような形態としても良い。本発明においては、上述した各インクに対して最も有効なものは、上述した膜沸騰方式を実行するものである。
　【００５１】
　【発明の効果】本発明によれば、個々の記録ヘッド内にヘッド固有のレジスト位置補正を示す第１，第２誤差情報を持たせ、この情報に基づいて自動的にレジストタイミングを補正するので、サービスマンによる作業も不要となり、特に交換可能な記録ヘッドを用いる記録装置では効果的である。また、第１，第２誤差情報と第１，第２スタートタイミング設定値とに基づく
記録期間のスタートを指示する値
【図面の簡単な説明】
　【図１】本発明の一実施例に用いられるインクジット記録ヘッドの外観図である。
　【図２】本実施例の記録装置の内部機構図である。
　【図３】インクジェット記録ヘッドのプリント板実装図である。
　【図４】ヘッドの回路図である。
　【図５】ヘッドの駆動タイミングチャートである。
　【図６】記録ヘッドと記録用紙の関係を示す図である。
　【図７】記録タイミングチャートである。
　【図８】ヘッドのノズル列の位置精度誤差を示す図である。
　【図９】レジスト補正の詳細タイミングチャートである。
　【図１０】ヘッドのレジスト量補正データ作成フローチャートである。
　【図１１】ヘッド内ＲＯＭデータの格納方法を示す図である。
　【図１２】ＲＯＭ内データの説明図である。
　【図１３】ＲＯＭ内データ読み出しタイミングチャートである。
　【図１４】本実施例の制御構成を示すブロック図である。
　【図１５】記録データの読み出しタイミングチャートである。
　【図１６】レジスト信号発生回路を示すブロック図である。
　【図１７】レジスト補正量データのセットを説明するフローチャートである。
　【図１８】レジスト補正データの他の例を示す図である。
　【符号の説明】
２　メモリ制御回路
３〜６　メモリ
７　ヘッドドライバー
２１，２２　カウンタ
３１〜４６　レジスタ
５１〜５８　比較器
６１〜６４　フリップフロップ
５０４　不揮発性メモリ
８０９　記録ヘッド